(57)【要約】    【課題】  特定の被写体を確実に撮影視野に捕捉することを可能にする。    【解決手段】  特定の被写体によって保持される電波発信装置２が、所定の識別信号を含む電波を発信する。カメラ装置１が、所定の指向性をもつアンテナ４を備え、このアンテナ４によって受信された電波のうち、カメラ装置１の前方部から到来し、かつ前記所定の識別信号を含んでいる電波を検出する。これによってこうした電波が検出されたとき、カメラ装置１は、特定の被写体がカメラ装置１の前方部に位置することを、画面表示部３を介してユーザに通知する。【選択図】      図１
2005333468.tif 000002
【特許請求の範囲】
【請求項１】
特定の被写体によって保持される電波発信装置と、該電波発信装置から送信された電波を受信するカメラ装置とからなる撮像システムにおいて、
前記電波発信装置に設けられ、所定の識別信号を含む電波を発信する電波発信手段と、
前記カメラ装置に設けられ、所定の指向性を備えたアンテナと、
前記カメラ装置に設けられ、前記アンテナによって受信された電波のうち、前記カメラ装置の前方部から到来し、かつ前記所定の識別信号を含んでいる電波を検出する検出手段と、
前記カメラ装置に設けられ、前記検出手段によって前記電波が検出されたとき、特定の被写体が前記カメラ装置の前方部に位置することをユーザに通知する通知手段と
を有することを特徴とする撮像システム。
【請求項２】
前記電波発信手段は、前記特定の被写体が発する音声を音声信号として前記電波に搭載して発信し、
前記検出手段によって前記電波が検出されたとき、該電波に搭載された音声信号を抽出して音声として出力する出力手段を前記カメラ装置に更に設けることを特徴とする請求項１記載の撮像システム。
【請求項３】
前記カメラ装置によって撮影された映像を表示する画像表示部を前記カメラ装置に更に設け、
前記通知手段は、特定の被写体が前記カメラ装置の前方部に位置することを表す表示マークを、前記画像表示部に表示された映像に重畳して表示することを特徴とする請求項１記載の撮像システム。
【請求項４】
前記アンテナは２つの指向性アンテナを含み、該２つの指向性アンテナの各電波受信可能範囲が、前記カメラ装置の前方部において重なるような指向性を備えることを特徴とする請求項１記載の撮像システム。
【請求項５】
前記検出手段は、前記アンテナによって受信した電波のうち、前記所定の識別信号を含んでいて、かつ前記カメラ装置の前方部以外から到来した外れ電波を検出し、
前記通知手段は、前記検出手段によって前記外れ電波が検出されたとき、特定の被写体が前記カメラ装置の前方部の周辺に位置することをユーザに通知することを特徴とする請求項４記載の撮像システム。
【請求項６】
前記電波発信装置は無指向性アンテナを備え、
前記電波発信手段は、前記電波を前記無指向性アンテナから発信することを特徴とする請求項１記載の撮像システム。
【請求項７】
前記カメラ装置は鏡筒及び撮像素子を備え、
前記アンテナは、前記撮像素子の周辺に配置され、前記鏡筒を導波管として伝播された電波を受信するによって指向性を備えたことを特徴とする請求項１記載の撮像システム。
【請求項８】
前記カメラ装置はズームレンズを備え、
前記鏡筒の長さが、前記ズームレンズが操作されることによって変化することを特徴とする請求項７記載の撮像システム。
【請求項９】
特定の被写体によって保持される電波発信装置において、
無指向性アンテナと、
所定の識別信号及び前記特定の被写体が発する音声を音声信号として前記電波に搭載して前記無指向性アンテナから発信する電波発信手段と
を有することを特徴とする電波発信装置。
【請求項１０】
所定の指向性を備えたアンテナと、
前記アンテナによって受信された電波のうち、自装置の前方部から到来し、かつ所定の識別信号を含んでいる電波を検出する検出手段と、
前記検出手段によって前記電波が検出されたとき、特定の被写体が自装置の前方部に位置することをユーザに通知する通知手段と
を有することを特徴とするカメラ装置。
【請求項１１】
前記所定の識別信号を含んでいる電波を発信する電波発信手段が、前記特定の被写体が発する音声を音声信号として前記電波に搭載して発信し、
前記検出手段によって前記電波が検出されたとき、該電波に搭載された音声信号を抽出して音声として出力する出力手段を更に有することを特徴とする請求項１０記載のカメラ装置。
【請求項１２】
撮影手段と、
前記撮影手段によって撮影された映像を表示する画像表示部とを更に有し、
前記通知手段は、特定の被写体が前記カメラ装置の前方部に位置することを表す表示マークを、前記画像表示部に表示された映像に重畳して表示することを特徴とする請求項１０記載のカメラ装置。
【請求項１３】
前記アンテナは２つの指向性アンテナを含み、該２つの指向性アンテナの各電波受信可能範囲が、前記カメラ装置の前方部において重なるような指向性を備えることを特徴とする請求項１０記載のカメラ装置。
【請求項１４】
前記検出手段は、前記アンテナによって受信した電波のうち、前記所定の識別信号を含んでいて、かつ前記カメラ装置の前方部以外から到来した外れ電波を検出し、
前記通知手段は、前記検出手段によって前記外れ電波が検出されたとき、特定の被写体が前記カメラ装置の前方部の周辺に位置することをユーザに通知することを特徴とする請求項１３記載のカメラ装置。
【請求項１５】
鏡筒及び撮像素子を更に有し、
前記アンテナは、前記撮像素子の周辺に配置され、前記鏡筒を導波管として伝播された電波を受信するによって指向性を備えたことを特徴とする請求項１０記載のカメラ装置。
【請求項１６】
ズームレンズを更に有し、
前記鏡筒の長さが、前記ズームレンズが操作されることによって変化することを特徴とする請求項１５記載のカメラ装置。
【請求項１７】
特定の被写体によって保持される電波発信装置と、所定の指向性をもつアンテナを備え、前記電波発信装置から送信された電波を受信するカメラ装置とからなる撮像システムに適用される特定被写体探索方法において、
前記電波発信装置が、所定の識別信号を含む電波を発信する電波発信ステップと、
前記カメラ装置が、前記アンテナによって受信された電波のうち、前記カメラ装置の前方部から到来し、かつ前記所定の識別信号を含んでいる電波を検出する検出ステップと、
前記カメラ装置が、前記検出手段によって前記電波が検出されたとき、特定の被写体が前記カメラ装置の前方部に位置することをユーザに通知する通知ステップと
を有することを特徴とする特定被写体探索方法。
【請求項１８】
前記電波発信ステップは、前記特定の被写体が発する音声を音声信号として前記電波に搭載して発信し、
前記検出ステップによって前記電波が検出されたとき、該電波に搭載された音声信号を抽出して音声として出力する出力ステップを更に有することを特徴とする請求項１７記載の特定被写体探索方法。
【請求項１９】
特定の被写体によって保持される電波発信装置と、所定の指向性をもつアンテナを備え、前記電波発信装置から送信された電波を受信するカメラ装置とからなる撮像システムに適用される特定被写体探索方法を、コンピュータに実行させるためのプログラムにおいて、
前記電波発信装置が、所定の識別信号を含む電波を発信する電波発信ステップと、
前記カメラ装置が、前記アンテナによって受信された電波のうち、前記カメラ装置の前方部から到来し、かつ前記所定の識別信号を含んでいる電波を検出する検出ステップと、
前記カメラ装置が、前記検出手段によって前記電波が検出されたとき、特定の被写体が前記カメラ装置の前方部に位置することをユーザに通知する通知ステップと
を有することを特徴とするプログラム。
【発明の詳細な説明】
【技術分野】
【０００１】
本発明は、撮像システム、電波発信装置、カメラ装置、特定被写体探索方法、及びプログラムに関し、特に、特定の被写体によって保持される電波発信装置と該電波発信装置から送信された電波を受信するカメラ装置とからなる撮像システム、該撮像システムを構成する電波発信装置及びカメラ装置、該撮像システムに適用される特定被写体探索方法、並びに該特定被写体探索方法をコンピュータに実行させるためのプログラムに関する。
【背景技術】
【０００２】
従来、ビデオカメラのような撮像装置において、同一の服装の多数の人の中から特定の被写体を撮影するために、特定の被写体から赤外光信号を発信させ、この赤外光信号を撮像装置が受信することによって特定の被写体の位置を認識し、その位置を撮像装置の表示分に表示するようにした撮像装置が提案されている（例えば、特許文献１）。
【０００３】
撮影者はその表示を見て、特定の被写体の位置等を容易に認識することが可能となる。
【特許文献１】特開平９−２３３５９号公報
【発明の開示】
【発明が解決しようとする課題】
【０００４】
しかしながら、上記の従来の撮像装置では赤外光を使用するために、次のような不具合があった。
【０００５】
すなわち、赤外光の指向性が鋭いために、特定の被写体側に配置された赤外光発信装置から発信される赤外光の発信方向が、常に撮像装置に対して向けていなければならないし、また、赤外光の伝播通路を人が遮ったり、太陽光や蛍光灯等の影響を受けたりすると、撮像装置側で赤外光信号を識別できなくなる可能性があった。こうしたことから、特定の被写体を見失ったり、また最初から特定の被写体を見つけることができなかったりする可能性があった。さらには、撮像装置で撮影された映像に、送信された赤外光が画像として映ってしまう可能性もあった。
【０００６】
本発明はこのような問題点に鑑みてなされたものであって、特定の被写体を確実に撮影視野に捕捉することを可能にした撮像システム、電波発信装置、カメラ装置、特定被写体探索方法、及びプログラムを提供することを目的とする。
【課題を解決するための手段】
【０００７】
上記目的を達成するために、請求項１記載の発明によれば、特定の被写体によって保持される電波発信装置と、該電波発信装置から送信された電波を受信するカメラ装置とからなる撮像システムにおいて、前記電波発信装置に設けられ、所定の識別信号を含む電波を発信する電波発信手段と、前記カメラ装置に設けられ、所定の指向性を備えたアンテナと、前記カメラ装置に設けられ、前記アンテナによって受信された電波のうち、前記カメラ装置の前方部から到来し、かつ前記所定の識別信号を含んでいる電波を検出する検出手段と、前記カメラ装置に設けられ、前記検出手段によって前記電波が検出されたとき、特定の被写体が前記カメラ装置の前方部に位置することをユーザに通知する通知手段とを有することを特徴とする撮像システムが提供される。
【０００８】
また、請求項９記載の発明によれば、特定の被写体によって保持される電波発信装置において、無指向性アンテナと、所定の識別信号及び前記特定の被写体が発する音声を音声信号として前記電波に搭載して前記無指向性アンテナから発信する電波発信手段とを有することを特徴とする電波発信装置が提供される。
【０００９】
また、請求項１０記載の発明によれば、所定の指向性を備えたアンテナと、前記アンテナによって受信された電波のうち、自装置の前方部から到来し、かつ所定の識別信号を含んでいる電波を検出する検出手段と、前記検出手段によって前記電波が検出されたとき、特定の被写体が自装置の前方部に位置することをユーザに通知する通知手段とを有することを特徴とするカメラ装置が提供される。
【００１０】
また、請求項１７記載の発明によれば、特定の被写体によって保持される電波発信装置と、所定の指向性をもつアンテナを備え、前記電波発信装置から送信された電波を受信するカメラ装置とからなる撮像システムに適用される特定被写体探索方法において、前記電波発信装置が、所定の識別信号を含む電波を発信する電波発信ステップと、前記カメラ装置が、前記アンテナによって受信された電波のうち、前記カメラ装置の前方部から到来し、かつ前記所定の識別信号を含んでいる電波を検出する検出ステップと、前記カメラ装置が、前記検出手段によって前記電波が検出されたとき、特定の被写体が前記カメラ装置の前方部に位置することをユーザに通知する通知ステップとを有することを特徴とする特定被写体探索方法が提供される。
【００１１】
さらに、上記特定被写体探索方法をコンピュータに実行させるためのプログラムが提供される。
【発明の効果】
【００１２】
本発明によれば、特定の被写体によって保持される電波発信装置と、所定の指向性をもつアンテナを備え、電波発信装置から送信された電波を受信するカメラ装置とからなる撮像システムにおいて、電波発信装置が、所定の識別信号を含む電波を発信し、カメラ装置が、前記アンテナによって受信された電波のうち、カメラ装置の前方部から到来し、かつ前記所定の識別信号を含んでいる電波を検出する。これによってこうした電波が検出されたとき、カメラ装置は、特定の被写体がカメラ装置の前方部に位置することをユーザに通知する。
【００１３】
これによって、特定の被写体を確実に撮影視野に捕捉することが可能となる。
【００１４】
また、特定の被写体に付けた電波発信装置から、該被写体が発する音声を搭載された電波をカメラ装置に送信するので、カメラ装置では、特定の被写体が発する音声を離れた地点から入手できる。また、この音声の入手は、特定の被写体が撮影視野から大きく外れた地点に位置する場合には不可能であるので、特定の被写体を撮影視野内に捕捉する際に役立つ。
【００１５】
また、特定の被写体に保持される電波発信装置が、所定の識別信号を含む電波を発信するので、電波発信装置が複数存在する場合でも、特定の被写体に保持される電波発信装置を区別して認識でき、特定の被写体を撮影視野内に容易に捕捉することができる。
【００１６】
また、特定の被写体に保持される電波発信装置は無指向性のアンテナを持ち、一方、カメラ装置は、前方部に指向性が集中したアンテナを持つため、カメラ装置の前方部に特定の被写体が位置するか否かを容易に検出できる。
【００１７】
また、カメラ装置のアンテナを撮像素子の周辺に配置するとともに、ズームレンズの鏡筒を電波の導波管として利用するので、電波の受信範囲に指向性を持たせることができるとともに、ズームアウト時に広い受信指向範囲を確保し、徐々にズームインすることによって、特定の被写体を容易に捕捉することができる。
【００１８】
かくして、例えば、大勢の人がいる演奏会、運動会などで特定の人物をカメラ装置で探すことが容易になるとともに、該特定の人物の発する音声を録音することが可能となる。また、譬え特定の人物が見つからない場合でも、特定の人物がカメラ装置の前方にいる状態にして撮影を行い、後で再生しながら特定の人物を探したり、特定の人物の声を身近に録音したりすることが可能となる。
【発明を実施するための最良の形態】
【００１９】
以下、本発明を実施するための最良の形態について、図面を参照して説明する。
【００２０】
〔第１の実施の形態〕
図１は、本発明の第１の実施の形態に係る撮像システムの構成を示す図である。（Ａ）は特定の被写体を、（Ｂ）はカメラ装置を、（Ｃ）は画像表示部をそれぞれ側面から見た場合で示す。
【００２１】
図１において、１はカメラ装置、２は被写体側に設けられた電波発信装置である。３は画像表示部、４は方向検知アンテナ、５はズームレンズであり、画像表示部３及びズームレンズ５はカメラ装置１に設けられ、方向検知アンテナ４は、カメラ装置１に対して着脱可能になっている。カメラ装置１は、ここではビデオカメラを想定するが、ディジタルカメラ（静止画撮影カメラ）であってもよい。
【００２２】
特定の被写体に配置された電波発信装置２は、図示をしないが少なくともマイクロホンおよび無指向性アンテナを備え、ＵＨＦ帯以上の波長の短い電波を無指向性アンテナから発信する。この電波には、カメラ装置１側で予め決められた識別コードと、マイクロホンから入力された、主に上記特定の被写体から発せられる音声信号とが搭載されている。
【００２３】
マイクロホンから入力した音声信号は、電波発信装置２において、ＵＨＦ帯以上の波長の短い電波に５０％ＡＭ変調やＦＭ変調によって重畳されたり、また、間歇的に送信される識別コードの各送信時間帯の間のデータ領域にパルスコードとして搭載されたりする。
【００２４】
なお、電波発信装置２の発信する電波は、ブルートゥース仕様（１０ｍ程度の近距離無線通信のインタフェース仕様）の電波であってもよい。
【００２５】
こうした電波をカメラ装置１が、指向性のある方向検知アンテナ４で受信し、上記特定の被写体の存在する方向を検知して、カメラ装置１の画像表示部３に、その方向を示す情報を画像に重ねて表示するとともに、スピーカ（図示せず）から受信音声を出力する。これらの画像と音声とはカメラ装置１で記録され得る。
【００２６】
方向検知アンテナ４は、図２を参照して後述するように、２つの指向性アンテナを含み、これらの２つの指向性アンテナの各電波受信可能範囲が、カメラ装置１の前方において重なる指向性を備えており、これによって、カメラ装置１の光軸方向と一致する前方向と、左右２方向とからそれぞれ送信されてくる電波の到来方向を判別できる。なお、ズームレンズ５の最広角側の画角と上記の前方部の角度範囲とが略一致するように、方向検知アンテナ４の指向性は設定される。
【００２７】
なお、カメラ装置１では、予め識別コードを決めておき、受信した電波に該所定の識別コードが含まれていたならば、該電波を送信した電波発信装置をもつ被写体が、撮影対象の特定の被写体であると判断し、音声信号を再生する。これにより、カメラ装置１の前方向に特定の被写体が位置することが確認でき、画像としての特定の被写体を早く探すことができる。
【００２８】
図２は、方向検知アンテナ４の構成及び受信指向範囲を上部方向からみた平面図である。
【００２９】
方向検知アンテナ４は、左側アンテナ７、右側アンテナ８、左側アンテナ７用の反射器９ａ、右側アンテナ７用の反射器９ｂを備える。反射器９ａ，９ｂは、左側アンテナ７、右側アンテナ８に指向性をそれぞれ与えるためのものである。
【００３０】
１３は、右側アンテナ８の受信範囲の境界線、１４は、左側アンテナ７の受信範囲の境界線であり、境界線１３と境界線１４とで挟まれた範囲１０が、カメラ装置１の前面エリアであり、右側アンテナ８と左側アンテナ７との両方によって受信できる範囲である。１２は、右側アンテナ８のみで受信できる範囲であり、１１は、左側アンテナ７のみで受信できる範囲である。
【００３１】
カメラ装置１では、複数の電波発信装置からそれぞれ送られた複数の電波の中から、所定の識別コードを含む特定の被写体の電波発信装置から送信された電波を選択するとともに、該電波の到来方向を、方向検知アンテナ４を用いて特定する。例えば、複数電波が右側アンテナ８と左側アンテナ７との両方で受信できるが、左側アンテナ７で受信した電波に所定の識別コードが含まれる場合は、特定の被写体が左側範囲１１及び前方範囲１０に位置すると判断し、両方のアンテナで受信した各電波に所定の識別コードが含まれない場合は、特定の被写体が範囲１０，１１，１２に存在しないと判断し、両方のアンテナで受信した各電波に所定の識別コードが含まれる場合は、特定の被写体が範囲１０に存在すると判断する。
【００３２】
図３は、方向検知アンテナ４及びカメラ装置１の各内部構成を示すブロック図である。
【００３３】
方向検知アンテナ４は、左側アンテナ８、左側アンテナ８に接続された左側受信部１６、右側アンテナ７、右側アンテナ７に接続された右側受信部１８から構成される。
【００３４】
カメラ装置１は、方向判別部１９、記号発生部２０、画像信号部２１、記号画像合成部２２、画像表示部３から構成される。
【００３５】
なお、本実施の形態では、方向検知アンテナ４とカメラ装置１とを別体型の構成としているが、方向検知アンテナ４をカメラ装置１と一体にしてもよく、また左側受信部１６と右側受信部１８とをカメラ装置１内に組み込むようにしてもよい。
【００３６】
カメラ装置１及び／または方向検知アンテナ４は制御装置を含み、該制御装置は、例えば中央演算装置（ＣＰＵ）、ＣＰＵが実行するプログラムを記憶するＲＯＭ（Read Only Memory）、ＣＰＵが演算に使用するＲＡＭ（Random Access Memory）、入出力装置等から構成される。上記の左側受信部１６、右側受信部１８、方向判別部１９、記号発生部２０、画像信号部２１、記号画像合成部２２などは、上記ＲＯＭに格納された制御プログラムをＣＰＵが実行することによって実現される機能である。また、画像表示部３は、上記の出力装置である。
【００３７】
カメラ装置１のズームレンズ５を、特定の被写体が位置すると思われる方向に向けると、左側アンテナ８及び右側アンテナ７のいずれか一方又は両方に、電波発信装置からの電波が受信される。
【００３８】
左側アンテナ８で受信した電波は左側受信部１６に送られ、左側受信部１６は、特定の被写体のもつ電波発信装置２に設定された所定の識別コードがこの電波によって送信されているか否かを判別し、所定の識別コードが送信されていれば、カメラ装置１の方向判別部１９にＯＫ信号を送り、所定の識別コードが送信されていなければ、方向判別部１９にＮＧ信号を送る。
【００３９】
同様に、右側アンテナ７で受信した電波は右側受信部１８に送られ、右側受信部１８は、所定の識別コードがこの電波によって送信されているか否かを判別し、所定の識別コードが送信されていれば、カメラ装置１の方向判別部１９にＯＫ信号を送り、所定の識別コードが送信されていなければ、方向判別部１９にＮＧ信号を送る。
【００４０】
なお、左側受信部１６及び右側受信部１８はそれぞれ、受信電波の強さを所定値と比較し、受信電波の強さが所定値よりも大きい場合に、所定の識別コードの送信判別を行なうようにしてもよい。
【００４１】
なおまた、電波発信装置２は、所定の識別コード等を暗号化して電波に搭載し、この電波を受信したカメラ装置１が、電波に含まれる暗号を解読（復号化）して、所定の識別コード等を得るようにしてもよい。
【００４２】
方向判別部１９は、左側受信部１６および右側受信部１８から送信されるＯＫ信号またはＮＧ信号に基づいて、特定の被写体が左方向の範囲１１に位置する（左側受信部１６からＯＫ信号、右側受信部１８からＮＧ信号を受信した場合）か、右方向の範囲１２に位置する（左側受信部１６からＮＧ信号、右側受信部１８からＯＫ信号を受信した場合）か、又は前方の範囲１０に位置する（左側受信部１６からＯＫ信号、右側受信部１８からもＯＫ信号を受信した場合）かを判断して、記号発生部２０に通知する。
【００４３】
記号発生部２０は、方向判別部１９からの通知内容に従い、左方向、右方向、前方向を向いた矢印等の記号情報、あるいは「特定被写体の位置を検知できない」旨の文字情報を発生する。
【００４４】
画像信号部２１は、カメラ装置１のズームレンズ５を介して得られた画像データに対して各種の画像処理を行ない、記号画像合成部２２へ送る。記号画像合成部２２は、画像信号部２１から送られた映像に、記号発生部２０で発生された記号情報あるいは文字情報を重畳した合成画像を作成し、画像表示部３に送る。
【００４５】
なお、方向判別部１９および記号発生部２０は、カメラ装置１のズームレンズ５の光軸方向の変更、あるいは画像信号部２１からの映像の変化がない場合には、上記の記号情報あるいは文字情報を変更しない構成にして、画像表示部３に表示される記号や文字の不要な切り替えを防止するようにする。
【００４６】
図４は、特定の被写体（人）を含む多数の人と、該特定の被写体が位置する方向を示す矢印記号とを表示する画像表示部３の画面の一例を示す図である。
【００４７】
図４において、２３は映像表示画面、２４は特定の被写体の映像、２５は、前方向から電波が来ていることを示す矢印記号、２６は、左方向から電波が来ていることを示す矢印記号、２７は、右方向から電波が来ていることを示す矢印記号である。これらの矢印記号のうち、実際に電波の来ている方向に対応する矢印記号が他の２つと異なる表示方法で表示される。すなわち、破線に対して実線で、または高濃度で、または高輝度で、または異なる色で、または点滅で、または異なる地模様で表示する。あるいはこれらの組み合わせによって表示する。
【００４８】
なお、左側受信部１６及び右側受信部１８がそれぞれ、受信電波の強さを検出し、検出された受信電波の強さに応じて輝度または色が変化するレベルメータまたはバーを追加表示するようにしてもよい。
【００４９】
なおまた、電波の来ている方向が判別できない場合は、矢印記号２５〜２７の表示部分に、その旨を表す文字を表示する。あるいは矢印記号２５〜２７の表示を消すことによって、その旨を表示してもよい。
【００５０】
図５は、カメラ装置１において行なわれる位置表示処理の手順を示すフローチャートである。
【００５１】
カメラ装置１の電源がＯＮにされることによって、この位置表示処理が開始され、画像表示部３に、図４に例示するような映像が表示される。
【００５２】
ステップＳ１で、ユーザがカメラ装置１を左右に移動させる。
【００５３】
ステップＳ２で、電波発信装置からの電波を、カメラ装置１の方向検知アンテナ４における左側アンテナ８及び／または右側アンテナ７が受信する。
【００５４】
ステップＳ３で、方向検知アンテナ４の左側受信部１６及び／または右側受信部１１８は、受信した電波に所定の識別コードが含まれるか否かを判別して、特定の被写体に付けた電波発信装置２からの電波を受信したか否かを判別する。
【００５５】
この判別結果に応じて、右側アンテナ７のみが電波発信装置２からの電波を受信している場合には（Ｓ４でＹＥＳ）、ステップＳ５へ進み、左側アンテナ８のみが電波発信装置２からの電波を受信している場合には（Ｓ６でＹＥＳ）、ステップＳ７へ進み、右側アンテナ７及び左側アンテナ８の両方が電波発信装置２からの電波を受信している場合には（Ｓ８でＹＥＳ）、ステップＳ９へ進む。なお、どのアンテナも電波発信装置２からの電波を受信していない場合には（Ｓ８でＮＯ）、ステップＳ１へ戻る。
【００５６】
ステップＳ５では、画像表示部３の映像表示画面２３において、右方向の矢印記号２７に対して他の矢印記号と異なる表示を行う。そしてステップＳ１へ戻る。
【００５７】
ステップＳ７では、画像表示部３の映像表示画面２３において、左方向の矢印記号２６に対して他の矢印記号と異なる表示を行う。そしてステップＳ１へ戻る。
【００５８】
ステップＳ９では、画像表示部３の映像表示画面２３において、前方向の矢印記号２５に対して他の矢印記号と異なる表示を行う。そして、受信電波に含まれる音声信号を抽出してスピーカに出力する。
【００５９】
この場合には、特定の被写体がカメラ装置１のズームレンズ５の光軸付近に位置するので、ユーザは、カメラ装置１のズームレンズ５の向きをそのままにして、特定の被写体が画像表示部３の映像表示画面２３に映っていることを確認できる。
【００６０】
ステップＳ１０では、カメラ装置１が映像の記録を開始する。
【００６１】
以上のようにして、第１の実施の形態では、特定の被写体を確実に撮影視野に捕捉することが可能となる。
【００６２】
また、特定の被写体に付けた電波発信装置から、該被写体が発する音声を搭載された電波をカメラ装置に送信するので、カメラ装置では、特定の被写体が発する音声を離れた地点から入手できる。また、この音声の入手は、特定の被写体が撮影視野から大きく外れた地点に位置する場合には不可能であるので、特定の被写体を撮影視野内に捕捉する際に役立つ。
【００６３】
〔第２の実施の形態〕
次に、本発明の第２の実施の形態を説明する。
【００６４】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００６５】
図６は、第２の実施の形態におけるカメラ装置の内部構成を示す図である。
【００６６】
第２の実施の形態におけるカメラ装置４０では、カメラ装置４０の内部に検知アンテナ４１を設ける。図６では図示を省略したが、電波発信装置２は、第１の実施の形態と同一構成である。
【００６７】
図６において、４２は鏡筒、４３は撮像素子、４４はズームイン時のレンズ、４５はズームアウト時のレンズである。検知アンテナ４１は、撮像素子４３の撮像面の外側の上下又は左右に１つ又はペアで配置する。
【００６８】
検知アンテナ４１にとって、鏡筒４２が、電波の導波管としての機能を備える。レンズ４４，４５をズームイン（望遠側）又はズームアウト（広角側）位置に移動することで、鏡筒４２が伸縮するが、この鏡筒４２の伸縮により、電波の受信指向範囲を狭くしたり、広くしたりできる。すなわち、ズームイン時にはレンズ４４が撮像素子４３から遠ざかって鏡筒４２は伸び、その結果、検知アンテナ４１に入る電波の受信指向範囲が狭くなり、一方、ズームアウト時にはレンズ４５が撮像素子４３に近づいて鏡筒４２は縮み、検知アンテナ４１に入る電波の受信指向範囲が広くなる。
【００６９】
特定の被写体が撮影範囲に入っているか否かの画像表示部３における表示は、第１の実施の形態のような矢印記号２５〜２７の表示を行わず、単に、特定の被写体が撮影範囲に入っているときだけ、所定のマークを点滅したり、あるいは背景との区別のつく着色をこのマークに対して行なったりする。
【００７０】
ユーザがカメラ装置４０によって特定の被写体を探すには、まず、ズームアウトした広い受信指向範囲の撮影状態で、特定の被写体が撮影範囲に入ったことを確認し、その後、ズームアウトを少しずつ行いながら、特定の被写体が撮影範囲から外れないようにカメラ装置４０を左右に移動する。これによって、ユーザは最終的に、特定の被写体が画像表示部３の映像表示画面２３に映っていることを確認できる。
【００７１】
なお、第１の実施の形態と同様に、特定の被写体に付けた電波発信装置２からの音声信号を含む電波を、カメラ装置４０に内蔵した検知アンテナ４１で受信し、電波に所定の識別コードが含まれるならば、特定の被写体が含まれる映像を画像表示部３に表示するとともに、音声をスピーカから出力する。
【００７２】
以上のように、第２の実施の形態では、検知アンテナを撮像素子の撮像面の外側上下又は左右に１つ又はペアで配置するとともに、カメラ装置のズームレンズの鏡筒を電波の導波管として流用したので、電波の受信範囲に指向性を持たせることができる。その上、ズームレンズのズームイン時に鏡筒が伸び、ズームアウト時に鏡筒が縮むので、ズームイン時に電波の受信指向範囲を狭くでき、ズームアウト時に広くできる。したがって、ズームレンズの操作によって、電波発信装置を保持した特定の被写体を撮影視野に容易に捕捉することが可能となる。
【００７３】
〔他の実施の形態〕
なお、電波発信装置に、ＧＰＳ（Global Positioning System）を利用して自装置の位置を検出し、この検出された位置を示す位置コードを電波に搭載してカメラ装置に送信する機能を追加し、一方、カメラ装置には、受信した電波から位置コードを抽出して、画像表示部に地図を表示するとともに、位置コードの示す地図上の位置にマークを施す機能を追加するようにしてもよい。また、地図は表示せず、位置コードが示す緯度経度を画像表示部に映像とともに表示し、カメラ装置に記録できるようにしてもよい。
【００７４】
なおまた、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００７５】
この場合、記憶媒体から読み出されたプログラムコード自体が本発明の新規な機能を実現することになり、そのプログラムコードを記憶した記憶媒体およびプログラムは本発明を構成することになる。
【００７６】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００７７】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００７９】
【図１】第１の実施の形態に係る撮像システムの構成を示す図である。
【図２】方向検知アンテナの構成及び受信範囲を上部方向からみた平面図である。
【図３】方向検知アンテナ及びカメラ装置の各内部構成を示すブロック図である。
【図４】特定の被写体を含む多数の人と、特定の被写体が位置する方向を示す矢印記号とを表示する画像表示部の画面の一例を示す図である。
【図５】カメラ装置において行なわれる位置表示処理の手順を示すフローチャートである。
【図６】第２の実施の形態におけるカメラ装置の内部構成を示す図である。
【符号の説明】
【００８０】
１   カメラ装置
２   電波発信装置
３   画像表示部
４   方向検知アンテナ
５   ズームレンズ
７   左側アンテナ
８   右側アンテナ
９   反射器
１０ 前面エリア（範囲）
１１ 範囲
１２ 範囲
１３ 境界線
１４ 境界線
１６ 左側受信部
１８ 右側受信部
１９ 方向判別部（検出手段）
２０ 記号発生部（通知手段）
２１ 画像信号部
２２ 記号画像合成部（通知手段）
２４ 特定の被写体の画像
２５ 矢印記号
２６ 矢印記号
２７ 矢印記号
４０ カメラ装置
４１ 検知アンテナ
４２ 鏡筒
４３ 撮像素子
４４ ズームイン時のレンズ
４５ ズームアウト時のレンズ
【図１】
2005333468.tif 000003
【図２】
2005333468.tif 000004
【図３】
2005333468.tif 000005
【図４】
2005333468.tif 000006
【図５】
2005333468.tif 000007
【図６】
2005333468.tif 000008